(57)【要約】      （修正有）【課題】欠陥管理機能を有する情報記録媒体の情報再生制御方法において、高速なＣＰＵ（ハードウェア）や高速大容量メモリを追加しなくても（装置のコストをアップさせることなく）、音切れなどの再生データの不連続性を発生させることなく、欠陥ブロックの代替ブロックへの置き換えに良好に対応できるようにする。【解決手段】欠陥管理機能を有する情報記録媒体の情報再生制御方法であって、情報記録媒体に記録されているファイルの位置情報を解析するファイル情報解析ステップと、ファイル情報解析ステップにおいて、解析対象ファイルが記録されている領域内に欠陥ブロックがあるか否かを検出する欠陥ブロック検出ステップと、欠陥ブロック検出ステップにおいて欠陥ブロックを検出した場合に、欠陥ブロックまでを１つのエクステントとするとともに、欠陥ブロックに対して代替された代替ブロックを１つのエクステントとするエクステント分解ステップとを含む。【選択図】図２
2010267320.tif 000002
【特許請求の範囲】
【請求項１】
欠陥管理機能を有する情報記録媒体に記録されているファイルの位置情報を解析するファイル情報解析ステップと、
前記ファイル情報解析ステップにおいて、解析対象ファイルが記録されている領域内に欠陥ブロックがあるか否かを検出する欠陥ブロック検出ステップと、
前記欠陥ブロック検出ステップにおいて欠陥ブロックを検出した場合に、前記欠陥ブロックまでを１つのエクステントとするとともに、前記欠陥ブロックに対して代替された代替ブロックを１つのエクステントとするエクステント分解ステップとを含む情報再生制御方法。
【請求項２】
前記エクステント分解ステップにおいて、欠陥ブロックの次ブロックも欠陥ブロックであり、またそれぞれの欠陥ブロックに対応する代替ブロックの記録位置が連続している場合に、代替ブロックどうしを結合して１つのエクステントとする請求項１に記載の情報再生制御方法。
【請求項３】
情報記録媒体に記録されているファイルの位置情報を解析するファイル情報解析ステップと、
前記ファイル情報解析ステップにおいて、解析対象ファイルが記録されている領域内に取り除きを希望する除去希望領域があるか否かを検出する除去希望領域検出ステップと、
前記除去希望領域検出ステップにおいて除去希望領域を検出した場合に、前記除去希望領域までを１つのエクステントとするとともに、前記除去希望領域より後ろの領域を１つのエクステントとするエクステント分解ステップとを含む情報再生制御方法。
【請求項４】
情報記録媒体に記録されているファイルの位置情報を解析するファイル情報解析ステップと、
前記ファイル情報解析ステップにおいて、解析対象ファイルが記録されている領域内に利用を希望する特定の情報である利用希望情報があるか否かを検出する特定情報検出ステップと、
前記特定情報検出ステップにおいて利用希望情報を検出した場合は、前記利用希望情報までを１つのエクステントとし、前記利用希望情報を１つのエクステントとするエクステント分解ステップとを含む情報再生制御方法。
【請求項５】
前記除去希望領域がＵＤＦにおけるランアウトブロック、リンクブロック、ランインブロックである請求項３に記載の情報再生制御方法。
【請求項６】
前記除去希望領域がＭｔ．Ｒａｉｎｉｅｒにおけるスペア領域である請求項３に記載の情報再生制御方法。
【請求項７】
前記利用希望情報がオーディオファイルにおけるタグ情報である請求項４に記載の情報再生制御方法。
【請求項８】
前記利用希望情報がオーディオファイルにおけるアルバムジャケット写真である請求項４に記載の情報再生制御方法。
【請求項９】
前記情報記録媒体におけるファイルシステムがＵＤＦである請求項１から請求項８までのいずれかに記載の情報再生制御方法。
【請求項１０】
前記情報記録媒体におけるファイルシステムがＭｔ．Ｒａｉｎｉｅｒである請求項１から請求項８までのいずれかに記載の情報再生制御方法。
【請求項１１】
前記情報記録媒体が光ディスクである請求項１から請求項１０までのいずれかに記載の情報再生制御方法。
【請求項１２】
前記解析対象ファイルがマルチエクステントである請求項１から請求項１１までのいずれかに記載の情報再生制御方法。
【請求項１３】
前記ファイル情報解析ステップにおいて、前記情報記録媒体内のすべての再生対象ファイルに対して解析を行う請求項１から請求項１２までのいずれかに記載の情報再生制御方法。
【請求項１４】
前記ファイル情報解析ステップにおいて、選択された特定のファイルに対してのみ解析を行う請求項１から請求項１２までのいずれかに記載の情報再生制御方法。
【請求項１５】
前記情報記録媒体がオーディオ情報記録媒体である請求項１から請求項１４までのいずれかに記載の情報再生制御方法。
【発明の詳細な説明】
【技術分野】
【０００１】
本発明は、欠陥管理機能を有する情報記録媒体の再生を行う情報再生制御方法にかかわり、特には、ＯＳ（Operating System）に依存しない汎用的なパケットライト記録方式のＵＤＦ（Universal Disc Format）規格などにおいて、欠陥ブロックを代替ブロックへ置き換える処理に際して、高速なＣＰＵ（ハードウェア）や高速大容量メモリを用いなくても、音切れなどの再生データの不連続性を発生させないですむようにするための技術に関する。
【背景技術】
【０００２】
情報化社会の進展に伴い、情報の伝送は高速度化かつ大容量化の一途を辿っており、情報記録媒体もますます高速化・大容量化が望まれている。大容量で交換可能な情報記録媒体として、ＤＶＤ（Digital Versatile Disc）のような光ディスクが知られている。ＤＶＤ−ＲＡＭでは、記録再生が不可能な欠陥領域がディスク製造時に発生したり（１次欠陥）、実際の使用に伴ってディスク表面に傷や汚れなどが付いて発生することがある（２次欠陥）。そこで、欠陥領域の存在によるシステムの信頼性低下を防止するために、欠陥管理（Defect Management）が行われる。欠陥に対して記録データの信頼性を確保するために、一般に交替処理と呼ばれる機能が導入されている。交替処理とは、ある情報を記録すべきブロック（セクタ）でエラーが発生し欠陥とみなされた場合に、そのブロックを使用せず、別のブロックに置き換えて記録を行う処理である。
【０００３】
データの記録が行われるブロックには、固有のアドレス情報があらかじめ記録されている。アドレス情報の記録位置と記録データの相対位置はあらかじめ決まっており、固有のアドレス情報を参照しながらデータの記録再生を行うようにしている。交替処理を行った場合には、欠陥とみなされたブロックのアドレス情報と置き換えられたブロックのアドレス情報を交替処理の履歴として管理しておく。このような処理は一般的に「欠陥管理」と呼ばれる。特に書き換え型の情報記録媒体の場合、１つの情報記録媒体が複数の装置で使用されるため、欠陥管理専用に使用される欠陥管理領域を有するものが多い。欠陥管理は、書き換え型の情報記録媒体をエラーフリーとして取り扱うことを可能とする。
【０００４】
欠陥が情報記録媒体上のどの位置にあるかを示す欠陥管理情報は、情報記録媒体上の記録データを所期通りに再生する上で必要な情報である。そのため、情報記録媒体上に複数の欠陥管理領域を設けて、同一内容の欠陥管理情報を多重記録するのが一般的である。情報記録媒体上の記録データを再生するためには、まずこの複数の欠陥管理領域から欠陥管理情報をすべて再生し、再生した欠陥管理情報を基にして、この情報記録媒体から記録データを再生するための欠陥リスト（欠陥管理表）を作成する。
【０００５】
図１９（ａ），（ｂ）はＤＶＤ−ＲＡＭ規格による情報記録媒体１０のデータ構造を示す（国際規格ＥＣＭＡ−２７２）。情報記録媒体１０は、ディスクに関する情報を記録するリードイン領域１１と、ユーザデータを記録するデータ領域１２と、ユーザデータの記録終了位置を示すリードアウト領域１３とを備える。
【０００６】
リードイン領域１１は、データ領域１２に存在する欠陥領域を管理するための欠陥管理情報が記録される欠陥管理領域（ＤＭＡ：Defect Management Area）のＤＭＡ１およびＤＭＡ２と、将来の拡張性のための保留領域とを含む。
【０００７】
データ領域１２は、ユーザデータが記録されるユーザ領域と、あらかじめ欠陥領域を補填するための予備の領域であるスペア領域（欠陥代替領域）とを含む。ユーザ領域に欠陥領域が存在する場合、その欠陥領域に記録されるべきユーザデータが、欠陥領域の代わりのスペア領域に記録される。
【０００８】
リードアウト領域１３は、リードイン領域１１と同様に、データ領域１２に存在する欠陥領域を管理するための欠陥管理情報（ＤＭＳ：Defect Management Structure）が記録されるＤＭＡ３およびＤＭＡ４と、将来の拡張性のための保留領域とを含む。
【０００９】
ＤＭＡ１〜ＤＭＡ４には、すべて同じ欠陥管理情報が多重記録されている。これは、ＤＭＡ１〜ＤＭＡ４に記録されている情報それ自身を欠陥管理の対象とすることができないためである。つまり、ＤＭＡ１〜ＤＭＡ４のうちいずれかに欠陥領域が存在していて正常に再生することができないとしても、ＤＭＡ１〜ＤＭＡ４のうち１つでも欠陥領域が存在しないＤＭＡがあれば、そこに記録されている欠陥管理情報を正常に再生することができる。したがって、ユーザデータを失うことがなく、信頼性が向上する。
【００１０】
ＤＭＡ１は、ＤＤＳ（Data Definition Structure：媒体定義構造）と、ＰＤＬ（Primary Defect List：一次欠陥リスト）と、ＳＤＬ（Secondary Defect List：二次欠陥リスト）とを含む。
【００１１】
ＤＤＳは、ＰＤＬおよびＳＤＬのパーティション（ユーザ領域と欠陥代替領域の組の数）に関する情報を含む。
【００１２】
ＰＤＬは、情報記録媒体１０の出荷時、すなわち情報記録媒体の初期化時に検出されたユーザ領域およびスペア領域に存在する欠陥領域（例えば欠陥セクタ）の位置情報（リスト）である。このリストは、情報記録媒体に物理フォーマットを行わない限り基本的に変化しない。情報記録媒体の物理フォーマット時に検出された欠陥領域の位置情報が記録されている。ＳＤＬは、情報記録媒体の物理フォーマット後に検出された欠陥領域を管理するための情報が記録される。
【００１３】
従来、欠陥管理機能を有する情報記録媒体１０における欠陥ブロックの代替ブロックへの置き換えは、図２０に示されるような方法により実現されていた。
【００１４】
すなわち、データの読み出しを行っている最中に、欠陥管理表（欠陥リスト）１４を用いて、読み出そうとしたブロックが欠陥管理表１４に登録されているかどうかを確認し、欠陥管理表１４に登録されていた場合は、そのブロックを欠陥ブロックと判断し、欠陥管理表１４に代替用として登録されている代替ブロックのデータを代わりとして読み出す方法である。
【００１５】
図２０の上段は情報記録媒体１０上に記録されているデータの構造を示し、下段は再生時に情報記録媒体１０から読み出されてメモリ２０に蓄積されたデータの構造を示す。情報記録媒体１０には、ファイルＡのデータがシングルエクステントとして記録されているとともに、代替ブロックや欠陥管理表１４も記録されている。エクステント（extent）というのは、論理的に連続した記憶空間のことであり、元々のファイルデータが１つのエクステントとして記録されているものをシングルエクステントという。ファイルＡのデータは複数のブロックからなり、各ブロックにはアドレスＡ１〜Ａ１２が割り当てられている。ファイルＡのデータには欠陥ブロック１，２も含まれており、情報記録媒体１０には欠陥ブロック１，２に対応して代替ブロック１，２の領域が確保され、欠陥ブロック１，２に本来記録されるべきであったデータがそれぞれ代替ブロック１，２に記録されている。さらに、欠陥管理表１４の領域が確保され、そこには欠陥ブロックのアドレスと代替ブロックのアドレスとの対応関係が記録されている。すなわち、欠陥ブロック１のアドレスＡ４には代替ブロック１のアドレスＲ１が対応し、欠陥ブロック２のアドレスＡ９には代替ブロック２のアドレスＲ２が対応していることが記録されている。
【００１６】
情報記録媒体１０からのファイルＡのデータの再生に際しては、まず、Ｑ１のように、アドレスＡ１からデータの読み取りを開始する。アドレスＡ４に達するまでは欠陥ブロックを検出しないので、継続して読み取りを行う。これで、アドレスＡ１〜Ａ３のデータを連続した状態でメモリ２０に蓄積する。次いで、アドレスＡ４に達した段階で欠陥ブロック１を検出するので、Ｑ２のように読み取りを中断する。そして、欠陥管理表１４を参照して代替として登録されているアドレスＲ１の代替ブロック１のデータをＱ３のように読み取り、メモリ２０に蓄積する。代替ブロック１のデータ読み出し後、アドレスＡ９までは欠陥を検出しないので、Ｑ４のように継続して読み取りを行い、アドレスＡ５〜Ａ８のデータを連続した状態でメモリ２０に蓄積する。アドレスＡ９に達したときに、再度欠陥ブロック２を検出するので、Ｑ５のように読み取りを中断する。そして、欠陥管理表１４を参照して代替として登録されているアドレスＲ２の代替ブロック２のデータをＱ６のように読み取り、メモリ２０に蓄積する。以降は、継続してアドレスＡ１２に達するまで、Ｑ７のようにデータの読み取りを行い、アドレスＡ１０〜Ａ１２のデータを連続した状態でメモリ２０に蓄積する。以上で、ファイルＡのすべてのデータの読み取りが完了となる。
【００１７】
特許文献１に記載の技術においては、欠陥管理表をメモリへ展開しておき、読み出し対象のブロックのアドレスを監視し、欠陥ブロックに合致しているかどうかの比較処理を行い、一致すれば代替ブロックへのアドレス置き換えを行う。そして、代替ブロックとして確保された領域または欠陥管理表の登録可能ブロック数を使い果たした状態でも、記録または再生を途切れることなく継続させるように構成してある。
【００１８】
特許文献２に記載の技術は、オーディオ再生装置において、再生開始前にあらかじめ、情報記録媒体内のファイルに関する情報の解析（ファイル情報解析）を行い、再生対象となるファイルの開始／終了アドレスやファイル名などの情報を保存し、所定時間経過した時点で再生を開始し、再生時にファイル情報解析情報を利用することで、スキップ操作への高速な対応やランダム再生などのアプリケーションへの対応を行うように構成してある。
【先行技術文献】
【特許文献】
【００１９】
【特許文献１】特開２０００−３３９８６９号公報
【特許文献２】特開２００４−１１８９７０号公報
【発明の概要】
【発明が解決しようとする課題】
【００２０】
特許文献１に記載の技術においては、読み出し対象のブロックのアドレスを監視し、欠陥ブロックに合致しているかどうかの比較処理を行う前提としての欠陥管理表を展開しておくメモリは、高速読み出し可能なメモリとする必要がある。さらに、欠陥ブロックに合致しているかどうかの比較処理と、代替ブロックへのアドレス置き換えを行うために必要とするＣＰＵ（ハードウェア）は、高速動作可能なものが必要となる。しかし、これでは、装置の大幅なコストアップは免れないものとなる。
【００２１】
特に、一般的な車載用や家庭用据置等のオーディオ再生装置は、上記のような高速ＣＰＵや高速大容量メモリを備えたシステム構成となっていない。したがって、代替のための置き換え読み出しの処理に時間がかかるため、音切れ発生の可能性があり、実用に耐えないものとなってしまう。
【００２２】
本発明は、このような事情に鑑みて創作したものであり、高速なＣＰＵ（ハードウェア）や高速大容量メモリを追加しなくても、音切れなどの再生データの不連続性を発生させることなく、欠陥ブロックの代替ブロックへの置き換えに良好に対応できるようにすることを目的としている。
【課題を解決するための手段】
【００２３】
（１）本発明による情報再生制御方法は、
欠陥管理機能を有する情報記録媒体に記録されているファイルの位置情報を解析するファイル情報解析ステップと、
前記ファイル情報解析ステップにおいて、解析対象ファイルが記録されている領域内に欠陥ブロックがあるか否かを検出する欠陥ブロック検出ステップと、
前記欠陥ブロック検出ステップにおいて欠陥ブロックを検出した場合に、前記欠陥ブロックまでを１つのエクステントとするとともに、前記欠陥ブロックに対して代替された代替ブロックを１つのエクステントとするエクステント分解ステップとを含むものである。
【００２４】
この情報再生制御方法においては、欠陥ブロックに対応する代替ブロックを１つのエクステントとして管理することにより、欠陥ブロックの代替ブロックへの置き換え処理を再生前のファイル情報解析時にあらかじめ実行することが可能となる。再生中の実行ではなく、再生前のファイル情報解析時にあらかじめ実行することが技術ポイントである。これにより、高速なＣＰＵ（ハードウェア）や高速大容量メモリを追加しなくても、音切れなどの再生データの不連続性を発生させることなく、欠陥ブロックの代替ブロックへの置き換えに良好に対応することが可能となる。
【００２５】
（２）上記の情報再生制御方法において、前記エクステント分解ステップにおいて、欠陥ブロックの次ブロックも欠陥ブロックであり、またそれぞれの欠陥ブロックに対応する代替ブロックの記録位置が連続している場合に、代替ブロックどうしを結合して１つのエクステントとするという態様がある。これによれば、エクステントの開始／終了アドレスを格納するためのメモリ容量を削減することが可能となる。また、連続した領域のデータを取得することになるため、別々のエクステントとして処理する場合に比べてより高速にデータ蓄積を行うことが可能となる。
【００２６】
（３）また本発明による情報再生制御方法は、
情報記録媒体に記録されているファイルの位置情報を解析するファイル情報解析ステップと、
前記ファイル情報解析ステップにおいて、解析対象ファイルが記録されている領域内に取り除きを希望する除去希望領域があるか否かを検出する除去希望領域検出ステップと、
前記除去希望領域検出ステップにおいて除去希望領域を検出した場合に、前記除去希望領域までを１つのエクステントとするとともに、前記除去希望領域より後ろの領域を１つのエクステントとするエクステント分解ステップとを含むものである。この場合、上記（１）とは異なり、情報記録媒体は必ずしも欠陥管理機能を有しているものには限定されない。もちろん、欠陥管理機能を有する情報記録媒体を対象としてもよい。
【００２７】
この情報再生制御方法においては、取り除きを希望する除去希望領域を取り除いたものを１つのエクステントとして管理することにより、再生前のファイル情報解析時にあらかじめ、除去希望領域の除去処理を行うことが可能となる。再生中の実行ではなく、再生前のファイル情報解析時にあらかじめ実行することが技術ポイントである。これにより、高速なＣＰＵ（ハードウェア）や高速大容量メモリを追加しなくても、音切れなどの再生データの不連続性を発生させることなく対応することが可能となる。
【００２８】
（４）また本発明による情報再生制御方法は、
情報記録媒体に記録されているファイルの位置情報を解析するファイル情報解析ステップと、
前記ファイル情報解析ステップにおいて、解析対象ファイルが記録されている領域内に利用を希望する特定の情報である利用希望情報があるか否かを検出する特定情報検出ステップと、
前記特定情報検出ステップにおいて利用希望情報を検出した場合は、前記利用希望情報までを１つのエクステントとし、前記利用希望情報を１つのエクステントとするエクステント分解ステップとを含むものである。この場合も、上記（１）とは異なり、情報記録媒体は必ずしも欠陥管理機能を有しているものには限定されない。もちろん、欠陥管理機能を有する情報記録媒体を対象としてもよい。
【００２９】
この情報再生制御方法においては、利用を希望する特定の情報である利用希望情報を１つのエクステントとして管理することにより、再生前のファイル情報解析時にあらかじめ、利用希望情報の分割処理を行うことが可能となる。再生中の実行ではなく、再生前のファイル情報解析時にあらかじめ実行することが技術ポイントである。これにより、利用希望情報のみを限定して取得することが可能となる。
【００３０】
（５）また上記の（３）の情報再生制御方法において、前記除去希望領域がＵＤＦ（Universal Disc Format）におけるランアウトブロック、リンクブロック、ランインブロックであるという態様がある。これらのブロックは、オーディオ再生装置においては、音声出力に当たりデコード対象から除外したいデータである。
【００３１】
（６）また上記の（３）の情報再生制御方法において、前記除去希望領域がＭｔ．Ｒａｉｎｉｅｒ（マウントレイニア）におけるスペア領域であるという態様がある。このＭｔ．Ｒａｉｎｉｅｒにおけるスペア領域も、オーディオ再生装置においては、音声出力に当たりデコード対象から除外したいデータである。
【００３２】
（７）また上記の（４）の情報再生制御方法において、前記利用希望情報がオーディオファイルにおけるタグ情報であるという態様がある。このタグ情報は、ユーザインタフェースにかかわる情報である。
【００３３】
（８）また上記の（４）の情報再生制御方法において、前記利用希望情報がオーディオファイルにおけるアルバムジャケット写真であるという態様がある。これもユーザインタフェースにかかわる情報であり、あらかじめ、オーディオファイル中のアルバムジャケット写真のみをエクステントとして保管しておけば、再生時にはアルバムジャケット写真を高速に一覧表示し、ユーザに再生したいものの選択を促す上での使用勝手が良くなる。
【００３４】
（９）また上記の（１）〜（８）の情報再生制御方法において、前記情報記録媒体におけるファイルシステムがＵＤＦであるという態様がある。ＵＤＦは、ＤＶＤに採用されているファイル単位で自由に読み書きできる標準ファイルフォーマットであり、ＯＳに依存せず、汎用的に利用できる。ＣＤ−Ｒ／ＲＷのパケットライト方式もＵＤＦを利用している。
【００３５】
（１０）また上記の（１）〜（８）の情報再生制御方法において、前記情報記録媒体におけるファイルシステムがＭｔ．Ｒａｉｎｉｅｒであるという態様がある。データ書き込み可能な光ディスクにパケット単位でランダムアクセス方式で読み書きを行う場合のフォーマットとして、ＵＤＦフォーマットとＭｔ．Ｒａｉｎｉｅｒフォーマットがある。前者はホストがディスクの読み込みを行い、欠陥セクタが存在すればソフトウェアが所定の領域に交替を行うものである。後者は、光ディスク装置がホストコンピュータからのアクセスがない間に、ディスクの読み込みをも行い、欠陥セクタが存在すれば、交替まで行うものである。
【００３６】
（１１）また上記の（１）〜（１０）の情報再生制御方法において、前記情報記録媒体が光ディスクであるという態様がある。光ディスクには、ＤＶＤ−ＲＡＭ／−ＲＷ／＋ＲＷ／−Ｒ／＋Ｒなどがある。
【００３７】
（１２）また上記の（１）〜（１１）の情報再生制御方法において、前記解析対象ファイルがマルチエクステントであるという態様がある。元々のファイルデータが１つのエクステントとして記録されているものをシングルエクステントといい、元々のファイルデータが複数のエクステントに分割されて記録されているものをマルチエクステントという。本発明の技術は、シングルエクステントだけでなく、マルチエクステントにも有効である。
【００３８】
（１３）また上記の（１）〜（１２）の情報再生制御方法において、前記ファイル情報解析ステップにおいて、前記情報記録媒体内のすべての再生対象ファイルに対して解析を行うという態様がある。
【００３９】
（１４）また上記の（１）〜（１２）の情報再生制御方法において、前記ファイル情報解析ステップにおいて、選択された特定のファイルに対してのみ解析を行うという態様がある。
【００４０】
（１５）また上記の（１）〜（１４）の情報再生制御方法において、前記情報記録媒体がオーディオ情報記録媒体であるという態様がある。
【発明の効果】
【００４１】
本発明によれば、欠陥ブロックの代替ブロックへの置き換え処理を、再生中ではなく、再生前のファイル情報解析時にあらかじめ実行するので、高速なＣＰＵ（ハードウェア）や高速大容量メモリを追加しなくても、音切れなどの再生データの不連続性を発生させることなく、欠陥ブロックの代替ブロックへの置き換えに良好に対応することができる。また、高速ＣＰＵや高速大容量メモリ等を追加する必要がないため、装置のコストアップを招くことがない。さらに、再生時のデータ蓄積処理は、欠陥管理を行わないシステムにおけるものと同一であるため問題はなく、変更する必要がない。つまり、ファイル情報解析手段のみの変更で対応可能であるため、変更に伴う影響範囲が小さく、システムの信頼性を確保する意味においても有用である。
【００４２】
また、欠陥ブロックの次ブロックも欠陥ブロックであり、またそれぞれの欠陥ブロックに対応する代替ブロックの記録位置が連続している場合に、代替ブロックどうしを結合して１つのエクステントとすることとすれば、エクステントの開始／終了アドレスを格納するためのメモリ容量の削減効果が期待できる。また、連続した領域のデータを取得することになるため、別々のエクステントとして処理する場合に比べてより高速にデータ蓄積を行うことが可能となる。一般的に連続した領域が欠陥ブロックになる可能性が高いため、有用である。
【００４３】
また、再生前のファイル情報解析時にあらかじめ、除去希望領域の除去処理を行うことができる。再生中の実行ではなく、ファイル情報解析時にあらかじめ実行することにより、高速なＣＰＵ（ハードウェア）や高速大容量メモリを追加しなくても、音切れなどの再生データの不連続性を発生させることなく対応することが可能となる。また、高速ＣＰＵや高速大容量メモリ等を追加する必要がないため、装置のコストアップを招くことがない。さらに、再生時のデータ蓄積処理は、除去希望領域の除去を行わないシステムにおけるものと同一であるため問題はなく、変更する必要がない。つまり、ファイル情報解析手段のみの変更で対応可能であるため、変更に伴う影響範囲が小さく、システムの信頼性を確保する意味においても有用である。
【００４４】
また、再生前のファイル情報解析時にあらかじめ、利用希望情報の分割処理を行うことができる。再生中の実行ではなく、ファイル情報解析時にあらかじめ実行することにより、利用希望情報のみを限定して取得することが可能となるため、その情報を用いたユーザインタフェース等の更新処理を高速に実行することができる。
【図面の簡単な説明】
【００４５】
【図１】本発明の第１の実施の形態におけるエクステント分解の実施タイミングを示すフローチャート
【図２】本発明の第１の実施の形態におけるエクステント分解の処理の流れを示すフローチャート
【図３】本発明の第１の実施の形態におけるエクステント分解の具体例を示す図
【図４】本発明の第１の実施の形態におけるエクステント分解で保存される開始／終了アドレスを示す表
【図５】本発明の第１の実施の形態におけるエクステント分解結果を用いたメモリへのデータ蓄積を表す図
【図６】本発明の第１の実施の形態におけるエクステント分解の具体例を示す図（マルチエクステント）
【図７】本発明の第１の実施の形態におけるエクステント分解で保存される開始／終了アドレスを示す表（マルチエクステント）
【図８】本発明の第２の実施の形態におけるエクステント分解の処理の流れを示すフローチャート
【図９】本発明の第２の実施の形態におけるエクステント分解の具体例を示す図
【図１０】本発明の第２の実施の形態におけるエクステント分解で保存される開始／終了アドレスを示す表
【図１１】本発明の第３の実施の形態におけるエクステント分解の処理の流れを示すフローチャート
【図１２】本発明の第３の実施の形態におけるエクステント分解の具体例を示す図
【図１３】本発明の第３の実施の形態におけるエクステント分解で保存される開始／終了アドレスを示す表
【図１４】本発明の第４の実施の形態におけるエクステント分解の処理の流れを示すフローチャート
【図１５】本発明の第４の実施の形態における特定の情報が含まれるエクステントのアドレス管理を示す図
【図１６】本発明の第４の実施の形態におけるエクステント分解の具体例を示す図
【図１７】本発明の第４の実施の形態におけるエクステント分解で保存される開始／終了アドレスを示す表
【図１８】本発明の実施の形態における情報再生装置の概略構成図
【図１９】ＤＶＤ−ＲＡＭ規格による情報記録媒体のデータ構造を示す図
【図２０】従来の欠陥ブロックの代替ブロックへの置き換え方法を表す図
【発明を実施するための形態】
【００４６】
以下、本発明にかかわる情報再生装置の制御方法の実施の形態を図面を用いて詳細に説明する。
【００４７】
図１８は、本発明の実施の形態における情報再生装置の概略構成図である。１は円盤状の情報記録媒体１０を駆動回転するスピンドルモータ、２は情報記録媒体１０の記録データを読み出す光ピックアップ、３は光ピックアップ駆動装置、４再生制御装置である。再生制御装置４は、ＣＰＵ（Central Processing Unit）５、ＲＯＭ（Read Only Memory）６、ＲＡＭ（Random Access Memory）７、ＤＳＰ（Digital Signal Processor）８などから構成されている。ＣＰＵ５は、ＲＯＭ６に格納されているプログラムを読み出してＲＡＭ７に展開し、ＲＡＭ７をワーキングメモリとして機能させ、ＣＰＵ５単独またはＤＳＰ８との協働で、スピンドルモータ１と光ピックアップ駆動装置３を制御するとともに、光ピックアップ２から読み取った情報のデジタル信号処理およびアナログ信号処理を行うように構成されている。
【００４８】
（第１の実施の形態）
本発明の第１の実施の形態におけるエクステント分解のタイミングを図１に示す。まず、情報記録媒体１０がセットされたかどうかを確認する。情報記録媒体１０がセットされていない場合は、情報記録媒体１０のセット待ちに戻る（Ｓ０１）。
【００４９】
情報記録媒体１０がセットされている場合は、ファイル情報解析を行う。このファイル情報解析時にエクステント分解も実行する（Ｓ０２）。エクステント分解以外のファイル情報解析については既知のため、ここでは記載しない。
【００５０】
ファイル情報解析の実行後、再生処理（データ蓄積、デコード）を開始する（Ｓ０３）。
【００５１】
なお、エクステント分解を含むファイル情報解析については、情報記録媒体１０内のすべての再生対象ファイルに対して再生処理の開始までに実行してもよいし、あるいは、１曲目のファイルのファイル情報解析のみを行い、１曲目の再生終了後、２曲目のファイル情報解析を行うというように選択された特定のファイルに対してのみ実行してもよい。
【００５２】
図２０に示す従来の方法においては、再生処理におけるデータ蓄積時に、読み出そうとしたブロックが欠陥管理表１４に登録されているかどうかを確認し、そのブロックが欠陥ブロックであった場合は、欠陥管理表１４に代替用として登録されている代替ブロックのデータを代わりとして読み出していたが、本実施の形態では欠陥ブロックの代替ブロックへの置き換えを再生処理時ではなく、再生前のファイル情報解析時にあらかじめ実行する点が異なっている。
【００５３】
第１の実施の形態におけるエクステント分解の処理の流れを図２に示す。
【００５４】
まず、解析対象ファイル中のすべてのエクステントの解析が終了したかどうかを確認し、終了したときは当該解析対象ファイルの解析を終了する（Ｓ１１）。
【００５５】
解析対象ファイル中のすべてのエクステントの解析が終了していないときは、次に、解析中のエクステントの先頭アドレスを開始アドレスとして保管する（Ｓ１２）。
【００５６】
次に、解析中のエクステントに欠陥ブロックが含まれるかどうかを確認する。欠陥管理表１４（図３参照）には、欠陥ブロックのアドレスが含まれているため、解析中のエクステントの開始アドレス、終了アドレスの範囲内に該当する欠陥ブロックが登録されているかを確認することで判定が可能である（Ｓ１３）。
【００５７】
解析中のエクステントに欠陥ブロックが含まれていない場合は、解析中のエクステントの終了アドレスをそのまま終了アドレスとして保管し、当該エクステントの解析を終了し、次いでステップＳ１１に戻って引き続きエクステントの解析処理を続行する（Ｓ１４）。
【００５８】
解析中のエクステントに欠陥ブロックが含まれている場合は、欠陥ブロックの直前のアドレスを解析中のエクステントの終了アドレスとして保管することで、欠陥ブロックまでを１つのエクステントとする（Ｓ１５）。
【００５９】
さらに、欠陥ブロックに対応する代替ブロックの開始アドレス、終了アドレスを保管することによって、欠陥ブロックに対応する代替ブロックを１つのエクステントとする（Ｓ１６）。
【００６０】
欠陥ブロックの次のアドレスを次エクステントとの開始アドレスとして保管し、当該エクステントの解析を終了し、次いでステップＳ１１に戻って引き続きエクステントの解析処理を続行する（Ｓ１７）。
【００６１】
以降、解析対象ファイル中のすべてのエクステントの解析が終了するまでこれを繰り返す。
【００６２】
第１の実施の形態におけるエクステント分解結果の具体例を図３に示す。
【００６３】
図３のように元々は１つのエクステントにより構成されたファイルＡが、エクステント１、エクステント２（代替ブロック）、エクステント３、エクステント４（代替ブロック）、エクステント５の５つのエクステントに分解されることになる。
【００６４】
また、このとき解析結果として保存される各エクステントの開始／終了アドレスは図４のとおりになる。
【００６５】
再生時には、図５のとおり、上記のようにして求めた開始／終了アドレスをもとに各エクステントを順番にメモリ２０に蓄積し、デコード処理を行うことによって音声出力を実現する。
【００６６】
従来技術の場合の図２０においては、［記録媒体上に記録されたデータ］と［再生時にメモリに蓄積されたデータ］とがダイレクトにつながっている。これに対して、本実施の形態では、図３と図５に分けて図示しているように、［記録媒体上に記録されたデータ］と［再生時にメモリに蓄積されたデータ］との間に［ファイル情報解析時に整理されたデータ］が介在している。すなわち、図３に示すように、再生前のファイル情報解析時に［記録媒体上に記録されたデータ］が一旦、［ファイル情報解析時に整理されたデータ］へと変容し、次いで時間帯を異にして、図５に示すように、［ファイル情報解析時に整理されたデータ］が［再生時にメモリに蓄積されたデータ］へと変容し、再生に利用される。
【００６７】
なお、上記具体例においては、ファイルのデータが１つのエクステントとして記録されているもの（シングルエクステント）について説明を行ったが、元々のファイルデータが複数のエクステントに分割されて記録されている（マルチエクステント）場合についても、図２と同一の方法で対応できる。
【００６８】
一般的に、ファイルの記録に関してマルチエクステントという概念があり、ファイルが物理的に連続した１つの領域に記録されていない場合には、ファイルは物理的に連続しないいくつかの領域に分割されて記録される。いくつかのエクステントに分割されたファイルを再生させるために、エクステントごとの開始アドレスと終了アドレスを保存し、再生時、各エクステントをメモリに連続的に蓄積することで、マルチエクステントで記録されたファイルの再生に対応している。
【００６９】
マルチエクステントの場合のエクステント分解結果の具体例を図６に示しておく。このとき解析結果として保存される各エクステントの開始／終了アドレスは図７のとおりになる。
【００７０】
第１の実施の形態によれば、欠陥ブロックに対応する代替ブロックを１つのエクステントとして管理することにより、欠陥ブロックの代替ブロックへの置き換え処理を再生前のファイル情報解析時にあらかじめ実行することが可能となる。再生中の実行ではなく、ファイル情報解析時にあらかじめ実行することにより、高速なＣＰＵ（ハードウェア）や高速大容量メモリを追加しなくても、音切れなどの再生データの不連続性を発生させることなく、欠陥ブロックの代替ブロックへの置き換えに良好に対応することが可能となる。また、高速ＣＰＵや高速大容量メモリ等を追加する必要がないため、装置のコストアップを招くことがない。さらに、再生時のデータ蓄積処理は、欠陥管理を行わないシステムにおけるものと同一であるため問題はなく、変更する必要がない。つまり、ファイル情報解析手段のみの変更で対応可能であるため、変更に伴う影響範囲が小さく、システムの信頼性を確保する意味においても有用である。
【００７１】
（第２の実施の形態）
本発明の第２の実施の形態におけるエクステント分解の処理の流れを図８に示す。
【００７２】
第１の実施の形態におけるエクステント分解と同様であるが、欠陥ブロックが連続している場合に、複数個の代替ブロックをまとめて１つのエクステントとする点が異なる。
【００７３】
まず、解析対象ファイル中のすべてのエクステントの解析が終了したかどうかを確認する（Ｓ２１）。
【００７４】
次に、解析中のエクステントの先頭アドレスを開始アドレスとして保管する（Ｓ２２）。
【００７５】
次に、解析中のエクステントに欠陥ブロックが含まれるかどうかを確認する（Ｓ２３）。欠陥管理表１４（図９参照）には、欠陥ブロックのアドレスが含まれているため、解析中のエクステントの開始アドレス、終了アドレスの範囲内に該当する欠陥ブロックが登録されているかを確認することで判定が可能である。
【００７６】
解析中のエクステントに欠陥ブロックが含まれていない場合は、解析中のエクステントの終了アドレスをそのまま終了アドレスとして保管し、当該エクステントの解析を終了し、次いでステップＳ２１に戻って引き続きエクステントの解析処理を続行する（Ｓ２４）。
【００７７】
解析中のエクステントに欠陥ブロックが含まれている場合は、欠陥ブロックの直前のアドレスをエクステントの終了アドレスとして保管することで、欠陥ブロックまでを１つのエクステントとする（Ｓ２５）。
【００７８】
さらに、欠陥ブロックに対応する代替ブロックの開始アドレス、終了アドレスを保管することによって、欠陥ブロックに対応する代替ブロックを１つのエクステントとする（Ｓ２６）。
【００７９】
次に、次のブロックも欠陥ブロックかどうかを確認する（Ｓ２７）。
【００８０】
次のブロックが欠陥ブロックではない場合は、欠陥ブロックの次のアドレスを次エクステントとの開始アドレスとして保管し、当該エクステントの解析を終了し、次いでステップＳ２１に戻って引き続きエクステントの解析処理を続行する（Ｓ２８）。
【００８１】
次のブロックが欠陥ブロックであった場合は、さらにその欠陥ブロックの代替ブロックのアドレスが直前の欠陥ブロックの代替ブロックのアドレス、すなわち、１つ前に保管したエクステントの終了アドレスと連続しているかどうかを確認する（Ｓ２９）。
【００８２】
代替ブロックのアドレスが連続している場合は、次の欠陥ブロックの代替ブロックの終了アドレスを当該エクステントの終了アドレスとして保管することで、次のブロックの代替ブロックも１つのエクステントとして結合する（Ｓ３０）。
【００８３】
以降、解析対象ファイル中のすべてのエクステントの解析が終了するまでこれを繰り返す。
【００８４】
第２の実施の形態におけるエクステント分解結果の具体例を図９に示す。欠陥ブロック１の次のブロックが欠陥ブロック２となっており、さらにぞれぞれの代替ブロックのアドレスがＲ１，Ｒ２と連続しているため、これらを１つのエクステントとして管理する（エクステント２）ことができる。また、このとき解析結果として保存される各エクステントの開始／終了アドレスは図１０のとおりになる。
【００８５】
なお、上記具体例においては、ファイルのデータが１つのエクステントとして記録されているもの（シングルエクステント）について説明を行ったが、元々のファイルデータが複数のエクステントに分割されて記録されている（マルチエクステント）場合についても図８と同一の方法で対応できる。
【００８６】
第２の実施の形態によれば、欠陥ブロックの次ブロックも欠陥ブロックであり、またそれぞれの欠陥ブロックに対応する代替ブロックの記録位置が連続している場合に、代替ブロックどうしを結合して１つのエクステントとすることとしてもよいという制御方法にしたことにより、エクステントの開始／終了アドレスを格納するためのメモリ容量の削減効果が期待できる。また、連続した領域のデータを取得することになるため、別々のエクステントとして処理する場合に比べてより高速にデータ蓄積を行うことが可能となる。一般的に連続した領域が欠陥ブロックになる可能性が高いため、本実施の形態は有用である。
【００８７】
（第３の実施の形態）
第１の実施の形態、第２の実施の形態においては、欠陥ブロックに対する代替ブロックへのデータ置き換えという形での例を記載したが、読み取りたくないデータを取り除くようにしたのが本発明の第３の実施の形態である。
【００８８】
本発明の第３の実施の形態におけるエクステント分解の処理の流れを図１１に示す。
【００８９】
第１の実施の形態におけるエクステント分解と同様であるが、取り除きを希望する除去希望領域が含まれている場合に、その領域を取り除いた形でエクステントとして保存するという点が異なる。
【００９０】
まず、解析対象ファイル中のすべてのエクステントの解析が終了したかどうかを確認する（Ｓ３１）。
【００９１】
次に、解析中のエクステントの先頭アドレスを開始アドレスとして保管する（Ｓ３２）。
【００９２】
次に、解析中のエクステントに除去希望領域が含まれるかどうかを確認する（Ｓ３３）。
【００９３】
解析中のエクステントに除去希望領域が含まれていない場合は、解析中のエクステントの終了アドレスをそのまま終了アドレスとして保管し、当該エクステントの解析を終了し、次いでステップＳ３１に戻って引き続きエクステントの解析処理を続行する（Ｓ３４）。
【００９４】
解析中のエクステントに除去希望領域が含まれている場合は、除去希望領域の直前のアドレスをエクステントの終了アドレスとして保管することで、１つのエクステントとする（Ｓ３５）。
【００９５】
さらに、除去希望領域の次のアドレスを次エクステントとの開始アドレスとして保管し、当該エクステントの解析を終了し、次いでステップＳ３１に戻って引き続きエクステントの解析処理を続行する（Ｓ３６）。
【００９６】
以降、解析対象ファイル中のすべてのエクステントの解析が終了するまでこれを繰り返す。
【００９７】
除去希望領域の具体例としては、パケットライト記録方式であるＵＤＦ（Universal Disc Format）におけるリンク用エリア（ランアウトブロック、リンクブロック、ランインブロック）や同じくパケットライト記録方式であるＭｔ．Ｒａｉｎｉｅｒ（マウントレイニア）におけるスペア領域ＳＡ（Spare Area）がある。
【００９８】
パケットライト記録方式は、データ書き込み可能な光ディスクにデータを書き込む際に、光ディスクのトラック上にユーザデータを連続して書き込まず、トラックを複数のパケットに分割してデータを書き込む方式である。このパケットライト記録方式では、一連のユーザデータを複数のパケットのユーザデータブロックに分割して記録する。ユーザ用データエリアどうしを繋げるためのブロックとして、ユーザ用データエリアどうし間にリンク用エリアを設けている。リンク用エリアは、ユーザ用データエリアの後に付加される２ブロックのランアウトブロックと、１ブロックのリンクブロックと、ユーザ用データエリアの前に付加される４ブロックのランインブロックから構成されるものである。
【００９９】
このリンク用エリアのランアウトブロック、リンクブロック、ランインブロックは、オーディオ再生装置においては、音声出力に当たりデコード対象から除外したいデータである。
【０１００】
データ書き込み可能な光ディスクにパケット単位でランダムアクセス方式で読み書きを行う場合のフォーマットとして、ＵＤＦフォーマットのほかにＭｔ．Ｒａｉｎｉｅｒフォーマットがある。ＵＤＦフォーマットはホストがディスクの読み込みを行い、欠陥セクタが存在すればソフトウェアが所定の領域に交替を行うものである。Ｍｔ．Ｒａｉｎｉｅｒフォーマットは、ホストコンピュータからのアクセスがない間に、光ディスク装置がディスクの読み込みを行い、欠陥セクタが存在すれば交替まで行うものである。その欠陥セクタの交替領域がスペア領域ＳＡである。
【０１０１】
このＭｔ．Ｒａｉｎｉｅｒにおけるスペア領域ＳＡも、オーディオ再生装置においては、音声出力に当たりデコード対象から除外したいデータである。
【０１０２】
第３の実施の形態におけるエクステント分解結果について、ＵＤＦにおけるリンク用エリアを除外対象とした場合の具体例を図１２に示す。ＵＤＦにおけるリンク用エリアは、情報記録媒体１０上に周期的に出現する（ユーザエリア３２ブロックに対して７ブロック）ため、計算により、その位置（アドレス）を確認することが可能である。リンク用エリアまでのユーザ用データエリアを１つのエクステント（エクステント１）、リンク用エリアを除外してリンク用エリアの次のユーザ用データエリアをまた別のエクステント（エクステント２）とすることで、リンク用エリアを取り除くことができる。また、このとき解析結果として保存される各エクステントの開始／終了アドレスは図１３のとおりになる。
【０１０３】
なお、上記具体例においては、ファイルのデータが１つのエクステントとして記録されているもの（シングルエクステント）について説明を行ったが、元々のファイルデータが複数のエクステントに分割されて記録されている（マルチエクステント）場合についても図１１と同一の方法で対応できる。
【０１０４】
第３の実施の形態によれば、再生前のファイル情報解析時にあらかじめ、除去希望領域の除去処理を行うことができる。再生中の実行ではなく、ファイル情報解析時にあらかじめ実行することにより、高速なＣＰＵ（ハードウェア）や高速大容量メモリを追加しなくても、音切れなどの再生データの不連続性を発生させることなく対応することが可能となる。また、高速ＣＰＵや高速大容量メモリ等を追加する必要がないため、装置のコストアップを招くことがない。さらに、再生時のデータ蓄積処理は、除去希望領域の除去を行わないシステムにおけるものと同一であるため問題はなく、変更する必要がない。つまり、ファイル情報解析手段のみの変更で対応可能であるため、変更に伴う影響範囲が小さく、システムの信頼性を確保する意味においても有用である。
【０１０５】
（第４の実施の形態）
第３の実施の形態においては、読み取りたくないデータを取り除く例を記載したが、逆に利用希望情報をエクステントとして明確に分割しておくようにしたのが本発明の第４の実施の形態である。
【０１０６】
本発明の第４の実施の形態におけるエクステント分解の処理の流れを図１４に示す。
【０１０７】
第１の実施の形態におけるエクステント分解と同様であるが、利用を希望する特定の情報である利用希望情報が含まれている場合に、その領域をエクステントとして保存するという点が異なる。
【０１０８】
まず、解析対象ファイル中のすべてのエクステントの解析が終了したかどうかを確認する（Ｓ４１）。
【０１０９】
次に、解析中のエクステントの先頭アドレスを開始アドレスとして保管する（Ｓ４２）。
【０１１０】
次に、解析中のエクステントに利用希望情報が含まれるかどうかを確認する（Ｓ４３）。
【０１１１】
解析中のエクステントに利用希望情報が含まれていない場合は、解析中のエクステントの終了アドレスをそのまま終了アドレスとして保管し、当該エクステントの解析を終了し、次いでステップＳ４１に戻って引き続きエクステントの解析処理を続行する（Ｓ４４）。
【０１１２】
解析中のエクステントに利用希望情報が含まれている場合は、利用希望情報が含まれる領域の直前のアドレスをエクステントの終了アドレスとして保管することで、利用希望情報が含まれる領域までを１つのエクステントとする（Ｓ４５）。
【０１１３】
さらに、利用希望情報が含まれる領域の開始アドレス、終了アドレスを保管することによって、特定の領域が含まれる領域を１つのエクステントとする（Ｓ４６）。
【０１１４】
利用希望情報が含まれる領域の次のアドレスを次エクステントとの開始アドレスとして保管し、当該エクステントの解析を終了し、次いでステップＳ４１に戻って引き続きエクステントの解析処理を続行する（Ｓ４７）。
【０１１５】
以降、解析対象ファイル中のすべてのエクステントの解析が終了するまでこれを繰り返す。
【０１１６】
利用希望情報の具体例としては、オーディオファイルにおけるタグ情報、アルバムジャケット写真等がある。これらの情報は、ユーザインタフェースにかかわる情報で、例えば、アルバムジャケット写真を一覧として表示し、ユーザが再生したいアルバムのジャケット写真を選択することで、そのアルバムの再生を開始するという使い方が想定できる。このとき、あらかじめ、オーディオファイル中のアルバムジャケット写真のみをエクステントとして保管しておき、図１５のように各オーディオファイル中のアルバムジャケットに該当するエクステントのアドレスのみを特別に保管するようにしておけば、高速に上記表示作業を行うことが可能となる。
【０１１７】
第４の実施の形態におけるエクステント分解結果について、アルバムジャケット写真を利用希望情報とした場合の具体例を図１６に示す。アルバムジャケット写真に関しては、ファイル先頭のヘッダ情報を確認することで、その位置を把握することが可能である。また、このとき解析結果として保存される各エクステントの開始／終了アドレスは図１７のとおりになる。
【０１１８】
なお、上記具体例においては、ファイルのデータが１つのエクステントとして記録されているもの（シングルエクステント）について説明を行ったが、元々のファイルデータが複数のエクステントに分割されて記録されている（マルチエクステント）場合についても図１４と同一の方法で対応できる。
【０１１９】
第４の実施の形態によれば、再生前のファイル情報解析時にあらかじめ、利用希望情報の分割処理を行うことができる。再生中の実行ではなく、ファイル情報解析時にあらかじめ実行することにより、利用希望情報のみを限定して取得することが可能となるため、その情報を用いたユーザインタフェース等の更新処理を高速に実行することができる。
【産業上の利用可能性】
【０１２０】
本発明は、情報記録媒体の記録再生装置およびその制御方法に適用でき、特にオーディオ再生装置に適用できる。上記オーディオ再生装置としては、ＭＰ３／ＷＭＡ（Windows(登録商標） Media Audio）等の圧縮オーディオ再生に対応した車載オーディオ機器、家庭用据置オーディオ機器、屋外用ポータブルオーディオ機器等がある。
【符号の説明】
【０１２１】
１０  情報記録媒体
１１  リードイン領域
１２  データ領域
１３  リードアウト領域
１４  欠陥管理表
２０  メモリ
【図１】
2010267320.tif 000003
【図２】
2010267320.tif 000004
【図３】
2010267320.tif 000005
【図４】
2010267320.tif 000006
【図５】
2010267320.tif 000007
【図６】
2010267320.tif 000008
【図７】
2010267320.tif 000009
【図８】
2010267320.tif 000010
【図９】
2010267320.tif 000011
【図１０】
2010267320.tif 000012
【図１１】
2010267320.tif 000013
【図１２】
2010267320.tif 000014
【図１３】
2010267320.tif 000015
【図１４】
2010267320.tif 000016
【図１５】
2010267320.tif 000017
【図１６】
2010267320.tif 000018
【図１７】
2010267320.tif 000019
【図１８】
2010267320.tif 000020
【図１９】
2010267320.tif 000021
【図２０】
2010267320.tif 000022